(57)【要約】【課題】雨天の場合に雨水の浸入を確実に阻止する又は気温の低いときに外気の取り入れを遮断することができながらも、気温の変化に応じて外気の取り入れ量の調整を行える構成にすることによって、快適に使用できる衣服を提供する。【解決手段】本体の内外への給排気を行うための開口７に通気性を有する通気性部材８を設け、その通気性部材８を覆うための覆い部材１０を設けてなる衣服において、前記覆い部材１０は、前記通気性部材８を覆った閉状態と該通気性部材８から離間させた開状態とに保持するための保形部材１６を備えている。【選択図】図２
2011006818.tif 000002
【特許請求の範囲】
【請求項１】
本体の内外への給排気を行うための開口に通気性を有する通気性部材を設け、その通気性部材を覆うための覆い部材を設けてなる衣服において、
前記覆い部材は、前記通気性部材を覆った閉状態と該通気性部材から離間させた開状態とに保持するための保形部材を備えていることを特徴とする衣服。
【請求項２】
前記覆い部材の一端部を除く周囲を縫着して該覆い部材をポケット構造とし、前記保形部材が、線状の部材からなり、該線状の保形部材を前記覆い部材の一端部に沿って配置したことを特徴とする請求項１記載の衣服。
【請求項３】
前記通気性部材が、メッシュ状生地からなり、前記保形部材がポリオレフィンなどの塑性変形性を備えた樹脂材料からなることを特徴とする請求項１又は２記載の衣服。
【発明の詳細な説明】
【技術分野】
【０００１】
本発明は、本体の内外への給排気を行うための開口に通気性を有する通気性部材を設け、その通気性部材を覆うための覆い部材を設けた衣服に関する。
【背景技術】
【０００２】
従来、上着やズボンなどの衣服を着て釣り等をしていると、温度上昇に伴って衣服の内部が蒸れることがある。
そこで、衣服の内外を通気性部材を通して通気することで衣服の内部の熱を発散して衣服の内部が蒸れることを解消できるようにしている。
また、雨の際に通気性部材を通して雨水が衣服の内部に浸入してくることを阻止する、又は寒い日に外気が必要以上に入り込むことがないように、通気性部材を覆うための覆い部材を衣服本体に縫着したものが提案されている（例えば、非特許文献１参照）。
【先行技術文献】
【非特許文献】
【０００３】
【非特許文献１】「ＦＩＳＨＩＮＧ  ＷＥＡＲ  ＣＯＬＬＥＣＴＩＯＮ  ２００７−２００８  ＡＵＴＵＭＮ  ＡＮＤ  ＷＩＮＴＥＲ」、発行元：株式会社シマノ、ｐ２３のＲＴ−１６２  ＦＵＮＣＴＩＯＮＳの左下のベンチレーション
【発明の概要】
【発明が解決しようとする課題】
【０００４】
非特許文献１の構成によれば、雨水の浸入を防止する又は気温の低い時には外気の取り入れを遮断することができるように一枚の覆い部材が通気性部材を完全に覆った閉じ状態になっている。つまり、覆い部材の一端を除く周縁が衣類本体に縫着されているため、覆い部材の一端と衣服本体との間に形成される小さな隙間から外気を取り入れなければならないため、外気を大量に取り入れることができないだけでなく、外気の取り入れ量の調整もできないものであり、改善の余地があった。
【０００５】
本発明が前述の状況に鑑み、解決しようとするところは、雨天の場合に雨水の浸入を確実に阻止する又は気温の低いときに外気の取り入れを遮断することができながらも、気温の変化に応じて外気の取り入れ量の調整を行える構成にすることによって、快適に使用できる衣服を提供することを課題とする。
【課題を解決するための手段】
【０００６】
本発明の衣服は、前述の課題解決のために、本体の内外への給排気を行うための開口に通気性を有する通気性部材を設け、その通気性部材を覆うための覆い部材を設けてなる衣服において、前記覆い部材は、前記通気性部材を覆った閉状態と該通気性部材から離間させた開状態とに保持するための保形部材を備えていることを特徴としている。
【０００７】
上記のように保形部材を備えることによって、覆い部材を通気性部材から離間していくことによって、通気部材に対する覆い部材の開き度合いを変更することで外気取り入れ量を調整することができる。そして、調整後は覆い部材が保形部材によりその開き位置で保持することで本体内が蒸れること等を阻止することができる。また、雨天時や気温が低い時には、覆い部材を閉状態にすることによって、保形部材がその閉状態を保持して外気が本体内に入り込むことを阻止することができる。
【０００８】
前記覆い部材の一端部を除く周囲を縫着して該覆い部材をポケット構造とし、前記保形部材が、線状の部材からなり、該線状の保形部材を前記覆い部材の一端部に沿って配置してもよい。
【０００９】
上記のように線状の保形部材を覆い部材の一端部に沿って配置しておけば、覆い部材の一端部のみを持って覆い部材を通気性部材から離間させるだけでよいから、覆い部材全体に保形部材を備えさせる構成に比べて小さな操作力で迅速に通気部材に対する覆い部材の開き度合いを調整することができる。
【００１０】
前記通気性部材が、メッシュ状生地からなり、前記保形部材がポリオレフィンなどの塑性変形性を備えた樹脂材料からなっていてもよい。
【発明の効果】
【００１１】
覆い部材を閉状態と開状態とに保持する保形部材を備えることによって、閉状態の覆い部材を開状態へ変更するだけで、通気部材に対する覆い部材の開き度合いを調整することができる。従って、雨天の場合に雨水の浸入を確実に阻止する又は気温の低いときに閉状態に保持して外気の取り入れを遮断することができながらも、気温の変化に応じて開状態にして外気の取り入れ量の調整を行えることから、快適に使用できる衣服を提供することができる。
【図面の簡単な説明】
【００１２】
【図１】本発明の衣服である釣り用上着の正面図である。
【図２】釣り用上着の外気を取り入れる箇所の斜視図である。
【図３】釣り用上着の外気を取り入れる箇所の断面図である。
【図４】本発明の衣服であるズボンの正面図である。
【図５】図４のズボンの側面図である。
【図６】ズボンの外気を取り入れる箇所の斜視図である。
【発明を実施するための形態】
【００１３】
以下、本発明の実施の形態を図面に基づいて説明する。
図１に、本発明の衣服としての釣り用上着１を示している。この釣り用上着１は、着用者の頭部又は着用者が被った帽子の全体を覆うことができるフード２を備えている。
【００１４】
前記釣り用上着１は、胴体を覆う本体としての身頃部３と、左右の腕を覆う左右の袖部４，４と、首の全周囲を覆うことができる襟部５とを備えている。
【００１５】
前記身頃部３は、左右の前側身頃３Ａ，３Ｂを備えるとともに、それら前側身頃３Ａ，３Ｂの左右方向中心部端にスライドファスナー６を備え、スライドファスナー６を開閉操作することによって、釣り用上着１を身体に着脱することができる。
【００１６】
前記左右の前側身頃３Ａ，３Ｂのそれぞれに、図１に示すように、本体の内外への給排気を行うための開口７を備え、各開口７を形成する生地の縁に、図２に示すように、メッシュ状生地からなる通気性部材８の外周を縫着している。
【００１７】
また、図２に示すように、前記開口７に、該開口７を開閉操作するためのファスナー９を備えている。そして、前記通気性部材８へ雨天時の雨水の浸入や低温時の外気の取り入れを遮断するために該通気性部材８を覆うための帯状の生地からなる覆い部材１０を、該通気性部材８にその上から重ね合わせ、この状態で該覆い部材１０の前端１０Ａが開放されるように該前端１０Ａを除いた外周を、図１に破線で示すように前記開口７が形成された２枚の表生地１１，１２に縫着することによって、ポケット構造を構成している。図１の矢印で示す範囲１０Ｅが覆い部材１０の前端１０Ａの開放範囲を示し、ここから外気を取り入れることになる。
【００１８】
前記開口７は、図１及び図２に示すように、２枚の生地１１，１２のそれぞれを切り欠き、それらの切り欠きが一致するように２枚の生地１１，１２を連結することにより、２枚の生地１１，１２に跨った開口が形成されるようになっている。
【００１９】
図３に示すように、前記ファスナー９を構成するテープ９Ａが、前記２枚の生地１１，１２の開口７縁の内側に配置され、そのテープ９Ａの内側に通気性部材８が配置され、生地１１，１２とテープ９Ａと通気性部材８が縫着されて一体化されている。
【００２０】
また、前記開口７を通過した外気は、裏地１３に形成された内側の開口１４を通して釣り用上着１の内部に入り込み、内部の熱気が裏地側の開口１４を通した後、表地側の開口７を通して外部へ放出されるようになっている。前記開口１４の表地側には、開口１４の縁に縫着されたメッシュ状生地からなる通気性部材１５を備えている。尚、前記裏地側の開口１４を、前記表地側の開口７と同一の大きさに構成する他、大きく構成したり小さく構成しても構わない。また、裏地側の開口１４と、前記表地側の開口７とを上着の厚み方向において一致する位置に配置することが好ましいが、少しずれた位置に配置することもできる。
【００２１】
前記ファスナー９は、図２に示すように、一対のテープ（基布）９Ａ，９Ａと、それらテープ９Ａ，９Ａに互いに対向するように取り付けられた多数の歯からなるエレメント（務歯部）９Ｂ，９Ｂと、前記一対のエレメント９Ｂ，９Ｂを噛み合わせる、又はその噛み合いを解除操作するためのスライダー（開閉部材）９Ｃとを備えている。前記スライダー９Ｃには、連結環１７を介して引き手１８が連結されるとともに、前記連結環１７に更に布製の帯体１９が連結され、引き手１８又は帯体１９を引き操作することによって、開口７を開閉操作することができるようになっている。
【００２２】
前記覆い部材１０は、前記通気性部材１５を覆った閉状態と該通気性部材１５から離間させた開状態とに保持する保形部材１６を備えている。この保形部材１６は、ポリオレフィンなどの塑性変形性を備えた樹脂材料からなるとともに、断面形状が円形で線状の部材からなり、該保形部材１６を覆い部材１０の前端１０Ａに沿って配置している。また、覆い部材１０の前端１０Ａ付近には、前記生地１１に備えた面ファスナー２０Ａに係止して覆い部材１０の前端を閉じた状態を更に強固に保持するための面ファスナー２０Ｂを備えている。
【００２３】
例えば気温の変化に応じて、外気を釣り用上着１内に取り込んで内部にこもった熱を発散したい場合には、前記面ファスナー２０Ａ，２０Ｂの係止を解除してから、図２の２点鎖線で示す覆い部材１０の前端１０Ａを持って生地１１，１２から離間する側（図２の矢印の方向）へ引っ張る。この状態から手を離すことにより保形部材１６の保形作用によって、その状態が保持され、覆い部材１０の前端１０Ａと生地１１，１２の表面との間に大きな開口が形成される（図２の実線で示す）。このように大きな開口を形成することによって、開口７を通して多量の外気を取り込んで内部にこもった熱を開口７を通して外部へ排出することができる。また、生地１１，１２から離間する覆い部材１０の位置を変更することで、前記開口の大きさを調整して外気の取り入れ量を調整することができる。尚、雨天時に雨水の浸入を確実に阻止する又は気温の低い時に外気の取り入れを遮断したい場合には、覆い部材１０の前端１０Ａを持って生地１１，１２の表面側へ接近操作することによって、通気性部材１５（開口７）を閉じた閉状態に覆い部材１０を保持することができる。また、覆い部材１０を閉状態にする前に、前記ファスナー９を閉じ操作することによって、更に外気が本体内に入り込むことを確実に阻止することができる。更に、前記覆い部材１０を閉状態にしたときに、面ファスナー２０Ａ，２０Ｂを係止状態にすることによって、その状態を確実に保持することができる利点があるが、面ファスナー２０Ａ，２０Ｂを省略して実施することもできる。
【００２４】
前記のように外気を取り入れる構成を備えたズボン（パンツともいう）を図４に示し、図５及び図６にそれの具体的構成を示しており、以下その構成について説明する。
【００２５】
図４は、一対のベルト２１Ａ，２１Ａからなるサスペンダー２１と腰当２２を備えたズボン２３を示しているが、サスペンダー２１と腰当２２の無いズボンであってもよい。
【００２６】
前記ズボン２３の本体である左右の身頃２４，２５それぞれの横側で外側部分の上部に、外気を取り入れる構成を備えている。尚、いずれも同一構成であるため、左側の身頃２４のみ説明する。図５は、外気を本体内に取り入れたり本体内の熱気を外部へ排出するための開口２６を示している。
【００２７】
その開口２６を形成する生地の縁に、図６に示すように、メッシュ状生地からなる通気性部材３５の外周を縫着している。
【００２８】
また、前記開口２６を開閉操作するためのファスナー２７を備えるとともに、前記通気性部材３５を覆うための帯状の生地からなる覆い部材２８を該通気性部材３５に上から重ね合わせ、その状態から、該覆い部材２８の前端２８Ａが開放されるように該前端２８Ａを除いた外周を、図５に破線で示すように前記開口２６が形成された２枚の表生地２９，３０に縫着することによって、ポケット構造を構成している。図１の矢印で示す範囲２８Ｅが覆い部材２８の前端２８Ａの開放範囲を示し、ここから外気を取り入れることになる。
【００２９】
前記開口２６は、前述と同様に、２枚の生地２９，３０のそれぞれを切り欠き、それらの切り欠きが一致するように２枚の生地２９，３０を連結することにより、２枚の生地２９，３０に跨った開口２６が形成されるようになっている。尚、図示していないが、裏生地にも図３と同様に、開口を備えるとともに開口にメッシュ状生地からなる通気性部材を備えている。
【００３０】
前記ファスナー２７は、図６に示すように、一対のテープ（基布）２７Ａ，２７Ａと、それらテープ２７Ａ，２７Ａに互いに対向するように取り付けられた多数の歯からなるエレメント（務歯部）２７Ｂ，２７Ｂと、前記一対のエレメント２７Ｂ，２７Ｂを噛み合わせる、又はその噛み合いを解除操作するためのスライダー（開閉部材）２７Ｃを備えている。前記スライダー２７Ｃには連結環３３を介して引き手３４が連結され、引き手３４を引き操作することによって、開口２６を開閉操作することができるようになっている。
【００３１】
前記覆い部材２８は、前記同様に、通気性部材３５を覆った閉状態と通気性部材３５から離間させた開状態とに保持する保形部材３１を備えている。この保形部材３１は、ポリオレフィンなどの塑性変形性を備えた樹脂材料からなるとともに、断面形状が円形で線状の部材からなり、該保形部材３１を覆い部材２８の前端２８Ａに沿って配置している。また、覆い部材２８の前端２８Ａ付近には、前記生地２９に備えた面ファスナー３２Ａに係止して覆い部材２８の前端を閉じた状態に更に強固に保持するための面ファスナー３２Ｂを備えている。尚、外気を取り入れる手順及び外気の取り入れを遮断する手順は、前述と同様であるため、説明は省略する。また、図６では、図２と同様に覆い部材２８の前端２８Ａを大きく開口させた状態を示している。
【００３２】
尚、本発明は、上記実施形態に限定されるものではなく、本発明の要旨を逸脱しない範囲で種々の変更が可能である。
【００３３】
例えば、前記実施形態では、ファスナー９又は２７を用いて開口７又は２６を完全に閉じることができるようにしたが、ファスナーを省略して実施することもできる。
【００３４】
また、前記実施形態では、塑性変形性を備えた樹脂材料として、ポリオレフィンを示したが、塑性変形性を備えた樹脂であればどのような樹脂であってもよいし、ゴムなどでもよい。
【００３５】
また、前記実施形態では、保形部材が、線状の部材から構成したが、帯状（板状）の部材であってもよい。
【符号の説明】
【００３６】
１…釣り用上着、２…フード、３…身頃部、３Ａ，３Ｂ…前側身頃、４…袖部、５…襟部、６…スライドファスナー、７…開口、８…通気性部材、９…ファスナー、９Ａ…テープ、９Ｂ…エレメント、９Ｃ…スライダー、１０…覆い部材、１０Ａ…前端、１０Ｅ…範囲、１１，１２…表生地、１３…裏地、１４…開口、１５…通気性部材、１６…保形部材、１７…連結環、１８…引き手、１９…帯体、２０Ａ，２０Ｂ…面ファスナー、２１…サスペンダー、２１Ａ，２１Ａ…ベルト、２２…腰当、２３…ズボン、２４，２５…身頃、２６…開口、２７…ファスナー、２７Ａ，２７Ａ…テープ、２７Ｂ，２７Ｂ…エレメント、２７Ｃ…スライダー、２８…覆い部材、２８Ａ…前端、２８Ｅ…範囲、２９，３０…生地、３１…保形部材、３２Ａ，３２Ｂ…面ファスナー、３３…連結環、３４…引き手、３５…通気性部材
【図１】
2011006818.tif 000003
【図２】
2011006818.tif 000004
【図３】
2011006818.tif 000005
【図４】
2011006818.tif 000006
【図５】
2011006818.tif 000007
【図６】
2011006818.tif 000008